(57)【要約】【課題】この発明は、商品の万引き等を防止するため商品ケースや商品そのものに固着して用いる自鳴式物品監視装置及び該自鳴式物品監視装置のタグ・ケースと外観が同形状のタグ・ケース内に収納可能な非自鳴式物品監視装置に用いられる同調回路の改良に関し、ゲートを鳴らすのに十分な感度を有する改善されたコイル構造を提供することを目的とする。【解決手段】この発明は、前記タグ・ケース内に設けられたフェライト・バー・アンテナコイルと該コイルに接続されたコンデンサからなる７．２〜９．２ＭＨｚの同調回路を有する物品監視装置において、上記フェライトが鉄、ニッケル、銅、亜鉛、その他の成分からなり、各質量％が少なくとも鉄（Ｆｅ）６１．８±１０．０％、ニッケル（Ｎｉ）１３．８±２．０％、銅（Ｃｕ）９．２±３．０％、亜鉛（Ｚｎ）１４．６±３．０％である。前記フェライト・バー・アンテナコイルのインダクタンスが７．５μＨ±１０％であり、フェライト・コアの直径が５〜９ｍｍ、長さが３５ｍｍ以下、また前記コイルが線径０．６±０．１ｍｍのピッチ巻きである。【選択図】      図１４
2004220289.tif 000002
【特許請求の範囲】
【請求項１】
商品を収納するケース、該ケースに取り付けられ収納時商品をケースにロックするためのタグ・ケース、及び前記タグ・ケース内に設けられたフェライト・バー・アンテナコイルと該コイルに接続されたコンデンサからなる７．２〜９．２ＭＨｚの同調回路を有する物品監視装置において、
上記フェライトが鉄、ニッケル、、銅、亜鉛、その他の成分からなり、各質量％が少なくとも鉄（Ｆｅ）６１．８±１０．０％、ニッケル（Ｎｉ）１３．８±２．０％、銅（Ｃｕ）９．２±３．０％、亜鉛（Ｚｎ）１４．６±３．０％であることを特徴とする物品監視装置。
【請求項２】
前記フェライト・バー・アンテナコイルのインダクタンスが７．５μＨ±１０％であり、フェライト・コアの直径が５〜９ｍｍ、長さが３５ｍｍ以下、また前記コイルが線径０．６±０．１ｍｍのピッチ巻きであることを特徴とする前記請求項１記載の物品監視装置。
【請求項３】
前記タグ・ケース内に７．５〜９ＭＨｚの自鳴式タグ回路を有し、前記コイルが該７．５〜９ＭＨｚの自鳴式タグ回路のアンテナを形成していることを特徴とする前記請求項１または２記載の物品監視装置。
【請求項４】
前記物品監視装置が、タグ・ケース内に７．５〜９ＭＨｚの自鳴式タグ回路を有する物品監視装置と外観が同じ形状を有し、かつ前記タグ・ケース内に７．５〜９ＭＨｚの自鳴式タグ回路を有せず、前記同調回路のみを有するダミー・タグであることを特徴とする前記請求項１または２記載の物品監視装置。
【請求項５】
商品に取り付けられ、取り外すと鳴動する自鳴式タグを内蔵したタグ・ケース内に、フェライト・バー・アンテナコイルと該コイルに接続されたコンデンサからなる７．５〜９ＭＨｚの同調回路を設けた物品監視装置において、
上記フェライトが鉄、ニッケル、、銅、亜鉛、その他の成分からなり、各質量％が少なくとも鉄（Ｆｅ）６１．８±１０．０％、ニッケル（Ｎｉ）１３．８±２．０％、銅（Ｃｕ）９．２±３．０％、亜鉛（Ｚｎ）１４．６±３．０％であることを特徴とする物品監視装置。
【請求項６】
前記フェライト・バー・アンテナコイルのインダクタンスが７．５μＨ±１０％であり、フェライト・コアの直径が５〜９ｍｍ、長さが３５ｍｍ以下、また前記コイルが線径０．６±０．１ｍｍのピッチ巻きであることを特徴とする前記請求項１記載の物品監視装置。
【請求項７】
前記タグ・ケース内に７．５〜９ＭＨｚの自鳴式タグ回路を有し、前記コイルが該７．５〜９ＭＨｚの自鳴式タグ回路のアンテナを形成していることを特徴とする前記請求項４または５記載の物品監視装置。
【請求項８】
商品に取り付けられ、取り外すと鳴動する７．５〜９ＭＨｚの自鳴式タグを内蔵したタグ・ケース内にアンテナコイルと該コイルに接続されたコンデンサからなる７．５〜９の同調回路を設けた物品監視装置と外観が同じ形状を有し、かつ前記タグ・ケース内に７．５〜９ＭＨｚの自鳴式タグ回路を有せず、前記同調回路のみを有するダミー・タグであることを特徴とする前記請求項４または５記載の物品監視装置。
【発明の詳細な説明】
【０００１】
【発明の属する技術分野】
この発明は、ＣＤショップ等において商品の万引き等を防止するため商品ケースや商品そのものに固着して用いる自鳴式物品監視装置及び該自鳴式物品監視装置のタグ・ケースと外観が同形状のタグ・ケース内に収納可能な非自鳴式物品監視装置に関し、特に該物品監視装置に用いられる同調回路の改良に関するものである。
【０００２】
【従来の技術】
従来、この種の物品監視装置としては、内部に電源を持たない受動型（非自鳴式）のペーパータグが知られている。このペーパータグは商品に付けられていて、無断で商品を持ち出そうとすると店の入り口等に設置された発信装置の側を通る時反応し、該発信装置に設けられた警報機が鳴ることにより盗難防止を行っている。このペーパータグは安価ではあるが、警報はゲートの方で鳴るため、複数の人間が同時に通過した場合はどの人間が商品を不正に持ち出そうとしているのか分からないため、現場を押さえるのに難しい欠点がある。
【０００３】
また、強引にゲートを通過しようとする犯人に対し警報の発信箇所を確定できないため、遅れを取って逃げられてしまうという欠点もある。
【０００４】
この欠点を改善したものとして、内部に電源を持ち、入り口の発信器からの電波を受信してタグ自体が警報を鳴らす自鳴式物品監視装置も知られている。
【０００５】
上記非自鳴式ペーパータグは、現在５８ｋＨｚ、２．４ＧＨｚ、８．２ＭＨｚの３周波数帯のものがある。また、上記自鳴式のものとしては、２２ＫＨｚ、３７．５ｋＨｚ、３１．５ｋＨｚ、８．２ＭＨｚのものが存在する。
【０００６】
図４に上記８．２ＭＨｚのペーパータグ２０の例を示す。
【０００７】
図において、２１は印刷された同調コイルである。なお、該ペーパータグ２０の表面には、通常ダミーのバーコードが印刷されている。ペーパータグは店舗入り口のゲートに送信機を備え、ペーパータグの同調回路の存在により生じる電磁界の乱れを検知して警報を鳴らすものであるが、ゲートが鳴るため犯人を特定するためにはタグ自体が鳴動する自鳴式の方が優れている。
【０００８】
自鳴式タグは前記受動式ペーパータグの使用周波数と同じ周波数を用いるならば前記ペーパータグ用の発信装置をそのまま用いることが可能となり、既に普及している前記受動式（非自鳴式）ペーパータグのシステムで両者を併用することが可能となるので便利である。すなわち、高価な自鳴式タグはサンプリング的に１０個に１個程度混ぜておくだけでかなり盗難防止の効果が出てくるので、前記受動式（非自鳴式）ペーパータグと周波数が共用されれば、入り口等に設置される発信装置も共用できるので、より普及し易い。従って、上記自鳴式タグは前記ペーパータグが最も普及している使用周波数である５８ｋＨｚ、または８．２ＭＨｚで設計されることが好ましい。
【０００９】
しかし、現状では前述の如く、自鳴式タグ・システムと非自鳴式タグ・システムはそれぞれ別の周波数を用いているため送信装置等が別に必要となり、上記ペーパータグと同じ周波数で使用して送信装置が兼用できる自鳴式タグの開発が望まれている。本出願人はこの観点からすでに上記８．２ＭＨｚで作動する自鳴式タグを開発し、提案している。
【００１０】
この自鳴式物品監視装置は、例えばＣＤの場合、図１〜図３に示す如く合成樹脂からなる透明な商品ケース（クリアケース）１に、警報作動検出スイッチ６及びブザー１７を具え、ロック機構を兼ねたタグ・ケース２をタグ挿入口４から挿入することにより、クリアケース１に商品（コンパクトディスクが収納されたカセット）８を収納してロックする。該ロック機構は同じ出願人によって先に提案されており（特開２０００−３５７２７９号公報）、上記タグ・ケースは２段階となった該ロック機構の１段目でクリアケース１に着脱自在になっている。通常はクリアケースに取り付けられた状態で用いられ、２段目のロック機構のみを用いて商品のロックを行っている。
【００１１】
前記ブザー１７は、無線受信回路１５及び検出スイッチ６によって動作が制御されており、ロックを解除しない状態でクリアケース１内にカセット８が存在しないとき、或いは、自鳴式物品監視装置がゲートを通過するときに鳴動するものである。販売店においては、ＣＤを入れたカセット８を自鳴式物品監視装置のクリアケース１に収容して陳列し、客にコンパクトディスクを販売する際、店員はブザー１７を鳴動しない状態に設定（ロック解除）した上でクリアケース１からカセット８を取り出し、料金と引き替えに客にコンパクトディスクを手渡している。なお、カセット８が取り出された自鳴式物品監視装置（上記クリアケース＋タグ・ケース）は繰り返し使用される。
【００１２】
上記自鳴式物品監視装置において、客が勝手に自鳴式物品監視装置のクリアケース１からカセット８を取り出すと、警報作動検出スイッチ６はクリアケース１内にカセット８が存在しないことを検出してブザー１７へ鳴動指令を発し、ブザー１７は該鳴動指令を受けて鳴動する。これによって、店員は、クリアケース１からカセット８が不正に取り出されたことを知ることができる。
【００１３】
また、前述の如く客がカセット８を自鳴式物品監視装置のクリアケース１に収納したまま無断で店外へ持ち出そうとすると、自鳴式物品監視装置の受信回路１５が入口ゲート等に設けられている送信回路からの信号を受けてブザー１７へ鳴動指令を発し、ブザー１７は該鳴動指令を受けて鳴動する。これによって、店員はコンパクトディスクが不正に店外へ持ち出されようとしていることを知ることができる。
【００１４】
また、図５に示す如く、単独でテープ等により商品に取り付けられて用いられる自鳴式物品監視用タグ２２も存在する。これは同じ出願人の提案したもの（特開平１１−１５３１１３号）であって、上記提案のケース内には、前記提案の受信回路を内蔵している。なお、図において、２４は発光ダイオードである。
【００１５】
図５の詳細な分解図を図６に示す。
【００１６】
図６（ａ）は図５を底から見た図、図６（ｂ）は上記タグケース内に収納されているプリント基板を外に取り出したところを、また図６（ｃ）は上記図６（ａ）の底板を外したところを示している。
【００１７】
３８は図５の２４に対応する前記発光ダイオードの表示窓である。図６において、２５はプラスティック・ケースであり、図５に示す如く、外観が舟型をひっくり返した形状をしている。２６は該ケース内に収納されるプリント基板、２７はブザー、２８は電池、２９はプリント基板に設けられた長孔、３０はスイッチ、３１は雄型ロック部材、３２は雌型ロック部材、３３はロック・ピン、３４は底板、３５はスナップ・スイッチ、３７は該スナップ・スイッチの動作片、３６は底板に設けられた開孔である。上記自鳴式タグは、長さ９ｃｍ、幅２ｃｍ、の逆舟型をしており、該ケースの開孔３６から突出したスナップ・スイッチの動作片３７を商品に押し付けてテープ等で商品に固着されている。後述するように、上記動作片が押されている限り、ブザーは鳴らない。しかし、不正に上記タグが商品より外されると、上記動作片３７がＯＮとなり、ブザーが鳴動する。また、後述するようにロック解除を行わずに不正に商品を持って黙って入口から出ようとすると入り口にある発振装置の電波を受信してブザーが鳴動する。
【００１８】
図７に、上記タグのロック機構の部分の拡大図を示す。さらに、図７の雄型ロック部材４１の拡大斜視図を図８に示す。なお、図６は上記ロックが解除された状態を示し、図７はロック状態を示す。
【００１９】
図７に見られる如く、雌型ロック部材３２は、略コの字状の底部、雄型ロック部材４１と係合する係合部４９及び雄型ロック部材に対して逆ハの字状に開脚する開脚部５０から成っていって、それらは前記プリント基板の孔に係合して固着するためのピン５１と共にプラスティック素材で一体成形されている。該雌型ロック部材３２は、前記舟型ケースの底部に貼り付けられてケースに固着されている。
【００２０】
雄型ロック部材４１は、図８に詳細斜視図を示すように、二つのくびれ部分をもち、一見バイオリンの胴部分と似たような形状をしている。上記形状のくびれ部分（凹部４２，４３）のロック側凹部４３は雌型ロック部材と係合する係合用の直角部分４８を有し、外側凹部４２は解除キー４４の円形突起５３が填り込むように半円形の形状をしている。なお、３３は該雄型ロック部材と一体に設けられているロック・ピンである。
【００２１】
前記プリント基板には、自鳴式盗難防止用の前記機能を有する回路が組み込まれており、前記スイッチ３５のｏｎ、または例えば８．２ＭＨｚの電波を受信することによってブザー２７を鳴らすことができる。また、前記解除キー４４の先端を前記舟型ケース１の後方のロック・ピン側正面に設けられた両サイドの孔５５から挿入し、後述するように上記解除キーを奥まで押し込んで引っ張り、ロックを解除すると、前記雄型ロック部材の上面に設けられた突起４６，４７の作用によりスライド・スイッチ（電源スイッチ）の突起４０（図７）がＯＦＦとなるので、上記ブザーの鳴動回路への電源供給が断たれ、前記タグは取り外しても鳴動しない。
【００２２】
上記ロック機構を前記自鳴式物品監視用タグに用いた場合の動作は以下のとおりである。
【００２３】
図６（ｂ）において３０は自鳴式警報回路の電源スイッチであり、上記ロック機構のロック時に該スイッチが入り、自鳴式警報回路がＯＮ状態となる。自鳴式警報回路がＯＮ状態となると、ブザー鳴動回路（発振回路）の入力を短絡している警報作動スイッチ３５のＯＮ状態、もしくは上記回路に内蔵されている警報発生用電波の受信回路への電波入力によって作動し、警報が鳴る。前述の如く前記ロック機構の雄型ロック部材の上面には２つの突起４６，４７が設けられており（図８）、図７に見られる如く該突起は上記電源スイッチ（スライド・スイッチ）３０の作動片４０（図７）にロック時、またはロック解除時に当接するようになっている。かくして、ロック時に上記電源スイッチが投入され、またロック解除時に上記電源スイッチがＯＦＦとなる。正常に商品が販売されるときは、店舗の入り口カウンタで、店員が上記解除キーにより上記自鳴式タグのロックを解除して商品から取り外し商品のみを客に引き渡すので、自鳴式タグが鳴動することはない。
【００２４】
自鳴式物品監視装置は持ち出そうとする商品そのものが鳴動するので犯人を特定し易く、現場を押さえるのに上記受動式ペーパータグより有効である。しかし、ペーパータグは１個１０〜２０円であるのに対して、自鳴式のものは２００〜３００円と高価なため多く用いることが困難である。
【００２５】
この場合、上記自鳴式物品監視装置の取りつけられていないケースには、上記自鳴式物品監視装置の取りつけられているケースとの見分けが付かないように外観上同じ自鳴式物品監視装置のタグ・ケースのみ（ダミー）が取り付けられている。このようなダミー・ケースの盗難防止は、従来、ペーパータグをケース側面に取り付けていて該ペーパータグの入口ゲートでの鳴動によって行っている。なお、上記ペーパ−タグは、表面にはダミーのバーコード（バーコード用紙と見せかけてある）を印刷し、内部にＬＣからなる同調回路が印刷された形でアンテナコイルとコンデンサーを内蔵するもの（図４）であり、上記と逆の意味で本物とダミーとの識別をさせないため、自鳴式物品監視装置の取りつけられているケースを含め、全ケースに貼り付けられている。
【００２６】
上記ペーパータグとしては、例えば８．２ＭＨｚの周波数が用いられている。
８．２ＭＨｚは上記ＬＣを縦横５ｃｍの大きさで作るのに適した周波数である。この他５８ｋＨｚで用いられるペーパータグも普及しているが、５８ｋＨｚで上記ＬＣ回路を作ろうとすると大きくなりすぎて実用的でなく、この５８ｋＨｚのペーパータグは特殊なコンデンサを用いている。一般的に周波数の低い５８ｋＨｚの方が性能は優れているが、汎用の上記ＬＣ回路を使えるので、コスト的には８．２ＭＨｚの方が安いという関係にある。
【００２７】
しかし、上記８．２ＭＨｚにおけるペーパータグ（図４）は５ｃｍ四方の大きさがあり、ケース上面に貼ると音楽ＣＤ等の本体の表示を見難くする欠点がある。
また、ケース本体は５０〜６０円のものであり、大量に使用する。しかし、上記ロック機構を兼ねたタグ・ケースで内部に自鳴式のタグを内蔵したものは一個２００〜３００円もするので、例えば１０ケースに１つといったようにサンプリング的にしか使用されない。その他のタグ・ケースは、前述の如くロック機構が外観だけ上記自鳴式のタグを内蔵したものに似ているが、自鳴式のタグを内蔵していないダミーである。図５，図６で示されるような単独で用いられるタグも同様の使われ方をする。
【００２８】
上記自鳴式タグにしろ、あるいは非自鳴式タグにしろ、送信機からの電波を受信するための同調回路を有している。該同調回路は、入口ゲート付近に置かれた上記送信機の８．２ＭＨｚの電波に同調し、自鳴式回路の場合は内蔵のブザーを鳴動し、また自鳴式、非自鳴式のいずれにおいても前記ペーパータグの場合と同様にゲートに設けられた受信機により同調回路の存在を検知してゲートをも鳴動させ得るものである。
【００２９】
上記ダミー・タグの同調回路の例として、同じ出願人に提案されたものが図９〜図１２に示される（特開２００１−１０１５３５号公報）。
【００３０】
図９に、上記提案の非自鳴式タグ（同調回路）が収納されたタグ・ケースの斜視図を示す。タグ・ケースの内側に沿う形でコイル６１が複数回巻回される。図１０は、該コイル６１とコンデンサ６２のみを取り出したものを示している。コイル６２は図１１の如く、縦巻きとなっている。
【００３１】
図１２は、前記単独で用いられる自鳴式タグ・ケースのダミーとなる前記提案の他の実施例となるタグ・ケースを示す。図において、６３がコイル、６４はコンデンサであり、両者で非自鳴式タグの同調回路を形成する。コイル６３は、図１０と同じく縦一列の縦巻きが用いられる。
【００３２】
６５はダミーのボード、６７はブザーの形状をしたスポンジである。なお、ロックピン６８等のロック機構や発光ダイオード等は、外観上本物との区別を付けさせないため同じものを備えている。なお、自鳴式タグ（本物）の方は、同様の同調回路と共に、図６に示されるように８．２ＭＨｚの受信回路基板がタグ・ケース内に収納されているものである。
【００３３】
しかし、上記提案のコイルの構造では、以下の欠点があることが判明した。
（１）上記提案のコイルは空心コイルであり、Ｑが低いため電波の吸収能力が小さく、ゲートを十分鳴動させることができない。すなわち、ゲートを鳴らすための距離はせいぜい７０〜８０ｃｍなので、通常のゲート幅１．５〜２ｍに十分対応できない。
（２）前記提案のコイルは細いコイルを縦巻きに多重に巻いているが、該構造は製作が容易でない。
【００３４】
これを改良したものとして、同じ出願人は上記同調回路として、３〜１２ｍｍφの太さで１０〜４０ｍｍの長さのフェライト・コアに０．４ｍｍ〜１．０ｍｍφの太さのコイルを所定回数巻いたものを用いることを提案している（特開２００２−８３３７７号公報）。
【００３５】
しかし、上記提案のフェライト・バー・アンテナも感度の点で十分なものといえず、ゲート等の誤動作を起こしやすいとか反応が遅いという欠点があった。
【００３６】
【特許文献１】
特開２００１−１０１５３５号公報
【特許文献２】
特開２００２−８３３７７号公報
【００３７】
【発明が解決しようとする課題】
この発明は、商品の万引き等を防止するため商品ケースや商品そのものに固着して用いる自鳴式物品監視装置及び該自鳴式物品監視装置のタグ・ケースと外観が同形状のタグ・ケース内に収納可能な非自鳴式物品監視装置に用いられる同調回路の改良に関し、ゲートを鳴らすのに十分な感度を有する、改善されたコイル構造を提供することを目的とする。
【００３８】
【課題を解決するための手段】
この発明は、商品を収納するケース、該ケースに取り付けられ収納時商品をケースにロックするためのタグ・ケース、及び前記タグ・ケース内に設けられたフェライト・バー・アンテナコイルと該コイルに接続されたコンデンサからなる７．２〜９．２ＭＨｚの同調回路を有する物品監視装置において、
上記フェライトが鉄、ニッケル、、銅、亜鉛、その他の成分からなり、各質量％が少なくとも鉄（Ｆｅ）６１．８±１０．０％、ニッケル（Ｎｉ）１３．８±２．０％、銅（Ｃｕ）９．２±３．０％、亜鉛（Ｚｎ）１４．６±３．０％であることを特徴とする。
【００３９】
さらに、前記フェライト・バー・アンテナコイルのインダクタンスが７．５μＨ±１０％であり、フェライト・コアの直径が５〜９ｍｍ、長さが３５ｍｍ以下、また前記コイルが線径０．６±０．１ｍｍのピッチ巻きであることを特徴とする。
【００４０】
さらに、前記タグ・ケース内に７．５〜９ＭＨｚの自鳴式タグ回路を有し、前記コイルが該７．５〜９ＭＨｚの自鳴式タグ回路のアンテナを形成していることを特徴とする。
【００４１】
さらに、前記物品監視装置が、タグ・ケース内に７．５〜９ＭＨｚの自鳴式タグ回路を有する物品監視装置と外観が同じ形状を有し、かつ前記タグ・ケース内に７．５〜９ＭＨｚの自鳴式タグ回路を有せず、前記同調回路のみを有するダミー・タグであることを特徴とする。
【００４２】
あるいは、この発明は、商品に取り付けられ、取り外すと鳴動する自鳴式タグを内蔵したタグ・ケース内に、フェライト・バー・アンテナコイルと該コイルに接続されたコンデンサからなる７．５〜９ＭＨｚの同調回路を設けた物品監視装置において、
上記フェライトが鉄、ニッケル、、銅、亜鉛、その他の成分からなり、各質量％が少なくとも鉄（Ｆｅ）６１．８±１０．０％、ニッケル（Ｎｉ）１３．８±２．０％、銅（Ｃｕ）９．２±３．０％、亜鉛（Ｚｎ）１４．６±３．０％であることを特徴とする。
【００４３】
さらに、前記フェライト・バー・アンテナコイルのインダクタンスが７．５μＨ±１０％であり、フェライト・コアの直径が５〜９ｍｍ、長さが３５ｍｍ以下、また前記コイルが線径０．６±０．１ｍｍのピッチ巻きであることを特徴とする。
【００４４】
さらに、前記タグ・ケース内に７．５〜９ＭＨｚの自鳴式タグ回路を有し、前記コイルが該７．５〜９ＭＨｚの自鳴式タグ回路のアンテナを形成していることを特徴とする。
【００４５】
さらに、商品に取り付けられ、取り外すと鳴動する７．５〜９ＭＨｚの自鳴式タグを内蔵したタグ・ケース内にアンテナコイルと該コイルに接続されたコンデンサからなる７．５〜９の同調回路を設けた物品監視装置と外観が同じ形状を有し、かつ前記タグ・ケース内に７．５〜９ＭＨｚの自鳴式タグ回路を有せず、前記同調回路のみを有するダミー・タグであることを特徴とする。
【００４６】
【発明の実施の形態】
この発明は、同じ出願人による従来提案のフェライト・アンテナ・コイルの改良に係わるものであって、その基本構造は同じなので、まずその従来提案のフェライト・アンテナ・コイル（特開２００２‐８３３７７号公報）について説明する。
【００４７】
このフェライト・アンテナ・コイルの同調回路の用いられる自鳴式物品監視装置あるいは該自鳴式物品監視装置のダミー装置は、図１や図９に示される従来のものと同じ構造のものであって、該装置のタグ・ケース内に収納される。
【００４８】
このフェライト・アンテナ・コイルは、図９や図１２の従来の同調回路のコイルを改良したものであって、図１３に示される如くフェライト・コア７１に導線７２を必要回数だけ巻回したものである。７３はコンデンサーであって、導線７２に両端７４、７４’を半田付けされている。該構造は、すでに中波ラジオやＦＭラジオの受信アンテナとしてよく知られている。フェライト・コアを用いることによりＱの大きい同調特性の優れたコイルを実現することができる。上記構造を採用することにより、長さ５〜１０ｃｍ、幅２〜３ｃｍという限られたタグ・ケース空間に収納可能で、従来の図９や図１３の空心コイルのものでは実現できなかったゲートを鳴らすのに十分な感度を有する受動式タグを実現することができた。繰り返しになるが、該同調回路は従来の受動式ペーパータグがケース前面に貼られて一部商品が見えなくなるという欠点を無くし、自鳴式タグの場合ロックケース内に収納可能であり、また、自鳴式タグ内蔵のタグ・ケースと外観見分けの付かない同様の形状のダミー・タグにも同様にして適用可能な点で従来のペーパータグと一線を画するものである。
【００４９】
上記図１３のフェライト・コアに導線を巻回したコイルは、ダミー・タグとして用いる場合は、図示されないが図９または図１３のタグ・ケースに容易に収納することができる。また、自鳴式タグのアンテナとして用いる場合の例が、図１４に示される。図において、７９はプリント基板であり、８．２ＭＨｚの受信回路が該プリント回路上に設けられている。前記フェライトを用いたコイルは、該プリント基板の切り欠け部８０に収納され、端部７７，７８を半田付けされる。
図示されないが、両端７７，７８間には別途コンデンサーも取り付けられる。該プリント基板は、図９に示されるようなタグ・ケース内に収納され、図２の無線受信回路として図１のロック兼用のタグ・ケース２内に収納される。該自鳴式タグの同調回路もタグ自体の電波受信アンテナとして働くと共に、該同調回路の電波吸収作用によりゲート側が該同調回路の存在を検知するので、通常の受動式ペーパー・タグと同じ動作原理によりゲート側を鳴動させることができる。商品に単独で貼り付けられる自鳴式タグの場合も同様で、図示を省略しているが図６に示されるプリント基板２６の代わりに図１４と類似の構造のプリント基板が用いられる。
【００５０】
この提案は、上記の如くフェライト・コアを用いることにより小型で、かつＱの高い同調回路が実現でき、これが上記小型のタグ・ケースに収納可能である点に最大の特徴がある。すなわち、従来の受動式タグにおいて、フェライト・コアを用いたものは存在しなかった。この発明は、該フェライト・コアを用いた同調回路を採用することにより、自鳴式タグの同調回路やダミー・タグの同調回路でゲート側をも十分鳴動させることができる実用性の高いタグを実現できたのである。
【００５１】
本発明は、上記従来提案のフェライト・アンテナ・コイルの感度をさらに良くした工夫に関するものであって、以下に詳細に説明する。
【００５２】
本発明は、まず、フェライト・コアの組成に特徴がある。以下に述べる如く、従来のフェライト・コアで作ったフェライト・アンテナ・コイルのＱは平均１１０前後であったが、鋭意工夫の結果、最終的に完成した本発明のフェライト・アンテナ・コイルのＱは平均３４０前後とその選択性が飛躍的に向上した。このことにより、本発明のフェライト・アンテナ・コイルは、非常に反応がよくなり、また、比較的電界強度が落ちる、ゲートの中間領域でも全く誤動作を行わない非常に信頼性の向上した盗難防止タグが実現できた。
【００５３】
以下、比較例、実施例の順に、試作・実験結果を述べる。
【００５４】
（比較例１）
まず、従来の組成のフェライト・コアを用いた場合の例を示す。
【００５５】
図１５は、これら比較例及び実施例のフェライト・アンテナ・コイルの外観図である。図中、８１は銅線８３を円筒状のフェライト・コア８２に巻いたフェライト・アンテナ・コイルであり、Ａはコイル全体の外径、Ｂは、コアの長さ、Ｃは引き出し線の長さ、Ｄは絶縁皮膜の部分、Ｅは、コイルの始端と終端間の距離である。コイルは、ほぼ線径の間隔を空けるピッチ巻きで巻かれている。
【００５６】
従来のフェライト・コアを用いた比較例１の場合、Ａ≦９．３ｍｍ、Ｂ＝３２±１ｍｍ，Ｃ＝１４±１ｍｍ、Ｄ≦１．０、Ｅ＝２３±１である。また、用いたコイルの線径は１．２ｍｍであった。
【００５７】
この時のフェライト・コアの組成の測定結果を図１６に示す。また、このコイルの電気的特性を図１７，図１８に示す。
【００５８】
図１７，図１８に見られる如く、インダクタンスＬ＝７．５μＨ±１０％において、８ＭＨｚにおけるＱの値は平均１１０位である。
【００５９】
このフェライト・アンテナ・コイルを用いて前記盗難防止タグを作ったら、ゲートは鳴動するが、Ｑが小さいためゲートの中間部分の電波の電界強度の低い部分での動作が不安定であった。特に、フェライト・アンテナ・コイルはコイルの縦方向（図１５のａ方向）には指向性があるが、横方向（図１５のｂ方向）には指向性がないため、上記盗難防止タグを上記ｂ方向をゲートの方向に向けてゲートを通過すると、ゲートが鳴動しなかったり、鳴動するが直ぐにはならず動作が遅れる等の誤動作が生じた。
【００６０】
（実施例１）
上記比較例１の改善を試みたものが、この実施例１である。実施例１の場合、Ａ≦８．４ｍｍ、Ｂ＝３２±１ｍｍ、Ｃ＝１４±１ｍｍ、Ｄ≦１．０、Ｅ＝２３±１である。また、用いたコイルの線径は０．８ｍｍであった。
【００６１】
この時のフェライト・コアの組成の測定結果を図１９に示す。また、このコイルの電気的特性を図２０，図２１に示す。
【００６２】
図２０，図２１に見られる如く、インダクタンスＬ＝７．５μＨ±１０％において、８ＭＨｚにおけるＱの値は平均１９０位であり、前記比較例１よりＱの値が改善されている。
【００６３】
（実施例２）
上記実施例１の改善を試みたものが、この実施例２である。実施例２の場合、Ａ≦１０．５ｍｍ、Ｂ＝３２±１ｍｍ、Ｃ＝１４±１ｍｍ、Ｄ≦１．０、Ｅ＝２３±１である。また、用いたコイルの線径は０．８ｍｍであった。
【００６４】
この時のフェライト・コアの組成の測定結果を図２２に示す。また、このコイルの電気的特性を図２３，図２４に示す。
【００６５】
図２３，図２４に見られる如く、インダクタンスＬ＝７．５μＨ±１０％において、約８ＭＨｚにおけるＱの値は平均２３０位であり、前記実施例１よりＱの値が改善されている。
【００６６】
（実施例３）
上記実施例２のさらに改善を試みたものが、この実施例３である。実施例３の場合、Ａ≦１０．０ｍｍ、Ｂ＝３２±１ｍｍ、Ｃ＝１４±１ｍｍ、Ｄ≦１．０、Ｅ＝２１±１である。また、用いたコイルの線径は０．８ｍｍであった。
【００６７】
この時のフェライト・コアの組成の測定結果を図２５に示す。また、このコイルの電気的特性を図２６，図２７に示す。
【００６８】
図２６，図２７に見られる如く、インダクタンスＬ＝７．５μＨ±１０％において、約８ＭＨｚにおけるＱの値は平均３４０位であり、前記実施例１、２よりＱの値がさらに改善されている。このＱ値は、比較例１（従来のフェライト）と比較すると驚異的に高いことが分かる。
【００６９】
実際、実施例１〜３のフェライト・アンテナ・コイルを用いて前記盗難防止タグを作ったら、前記比較例１の場合に生じた動作不安定の現象は起きなかった。
特に、実施例３，４のものは、動作安定度が高く、ゲートの中間部分の電波の電界強度の低い部分での動作も安定であり、しかも上記盗難防止タグをフェライト・アンテナ・コイルのコイルの横方向（図１５のｂ方向）をゲートの方向に向けてゲートを通過しても、ゲートは直ぐ反応し、上記タグの信頼性向上は明かであった。
【００７０】
【発明の効果】
以上説明したように、この発明は、従来の欠点である（１）従来提案のコイルはＱが低いため電波の吸収能力が小さく、ゲートを十分鳴動させることができない、すなわち、ゲートを鳴らすための距離はせいぜい７０〜８０ｃｍなので、通常のゲート幅１．５〜２ｍに十分対応できない、あるいは、ゲートを鳴動させることはできるが反応が悪く、暫く経ってから鳴動するとか、ゲートの中間部分の電波の弱い所では誤動作を起こすとか、アンテナ・コイルをゲートに横向きに向けて通過すると誤動作を起こすとといった、従来のアンテナ・コイルの欠点が本発明のフェライト・アンテナ・コイルを用いるとすべて解消される。
【００７１】
（２）従来提案のコイルは細いコイルを縦巻きに多重に巻いているものは該構造は製作が容易でなく、また、従来のフェライト・アンテナ・コイルは感度が十分でないが、この発明のフェライト・アンテナ・コイルは、感度が非常にいいので多少の製造誤差も吸収し易く、製造が容易である。特に、商品の万引き等を防止するため商品ケースや商品そのものに固着して用いる自鳴式物品監視装置及び該自鳴式物品監視装置のタグ・ケースと外観が同形状のタグ・ケース内に収納可能な非自鳴式物品監視装置において、ゲートを鳴らすのに非常に良好な感度を有する改善されたコイル構造を提供することができるという顕著な効果がある。
【００７２】
また、（３）スペック同調周波数への調整は、同調コンデンサを粗調整用と微調整用のものを並列にして、これらを適宜選択して粗調整行い、その後コイルを伸縮させて微調整を行うことにより、調整工程も簡便で生産性の高いものである。
【００７３】
これらにより、上記タグの商品価値を高め、マーケットのニーズに応えるタグが提供できたのである。
【図面の簡単な説明】
【図１】この発明の対象となる物品監視装置の全体図を示す図である。
【図２】この発明の対象となる物品監視装置におけるクリアケースへの自鳴式タグの取り付けの詳細を示す図である。
【図３】上記物品監視装置におけるクリアケースへの商品の収納動作を示す側面図である。
【図４】従来のペーパータグの構造を示す図である。
【図５】この発明の他の実施例の対象となる、単独で用いられる自鳴式物品監視装置の外観斜視図である。
【図６】上記単独で用いられる自鳴式物品監視装置の内部分解図である。
【図７】上記単独で用いられる自鳴式物品監視装置のロック機構の詳細図である。
【図８】上記ロック機構の雄型ロック部材を示す図である。
【図９】この発明の非自鳴式タグの実施例の斜視図である。
【図１０】図９の非自鳴式タグのコイルの拡大図である。
【図１１】図９の非自鳴式タグのコイルの形状を説明する斜視図である。
【図１２】単独で用いられる非自鳴式物品監視装置の従来例の斜視図である。
【図１３】この発明の同調回路の実施例を示す図である。
【図１４】この発明の同調回路を自鳴式タグのアンテナとして用いる例を示す図である。
【図１５】この発明の比較例及び実施例のフェライト・アンテナ・コイルの外観図である。
【図１６】比較例（従来例）のフェライトの組成を示す図である。
【図１７】比較例の測定結果を示す図である。
【図１８】比較例の詳細な測定結果を示す図である。
【図１９】実施例１のフェライトの組成を示す図である。
【図２０】実施例１の測定結果を示す図である。
【図２１】実施例１の詳細な測定結果を示す図である。
【図２２】実施例２のフェライトの組成を示す図である。
【図２３】実施例２の測定結果を示す図である。
【図２４】実施例２の詳細な測定結果を示す図である。
【図２５】実施例３のフェライトの組成を示す図である。
【図２６】実施例３の測定結果を示す図である。
【図２７】実施例３の詳細な測定結果を示す図である。
【符号の説明】
１    クリアケース
２  タグ・ケース
４    タグ挿入口
５  放音口
６  検出スイッチ
７  爪部
８  商品
１３  ロック機構
１６  電源スイッチ
１７  警報ブザー
１８  商品
２０  ペーパータグ
２１  コイル
２２  タグケース
２４  発光ダイオード
２５  タグケース
２６  プリント基板
２７  ブザー
２８  電池
２９  開孔
３０  スイッチ
３１  雄型ロック部材
３２    雌型ロック部材
３３  ロックピン
３５    スイッチ
４４  解除キー
６１  コイル
６２  コンデンサ
６３  コイル
６４  コンデンサ
７１  フェライト・コア
７２  コイル
７３  コンデンサ
７５  フェライト・コア
７６  コイル
７９  基板
【図１】
2004220289.tif 000003
【図２】
2004220289.tif 000004
【図３】
2004220289.tif 000005
【図４】
2004220289.tif 000006
【図５】
2004220289.tif 000007
【図６】
2004220289.tif 000008
【図７】
2004220289.tif 000009
【図８】
2004220289.tif 000010
【図９】
2004220289.tif 000011
【図１０】
2004220289.tif 000012
【図１１】
2004220289.tif 000013
【図１２】
2004220289.tif 000014
【図１３】
2004220289.tif 000015
【図１４】
2004220289.tif 000016
【図１５】
2004220289.tif 000017
【図１６】
2004220289.tif 000018
【図１７】
2004220289.tif 000019
【図１８】
2004220289.tif 000020
【図１９】
2004220289.tif 000021
【図２０】
2004220289.tif 000022
【図２１】
2004220289.tif 000023
【図２２】
2004220289.tif 000024
【図２３】
2004220289.tif 000025
【図２４】
2004220289.tif 000026
【図２５】
2004220289.tif 000027
【図２６】
2004220289.tif 000028
【図２７】
2004220289.tif 000029